(57)【要約】【課題】ケーシングに設けられる貫通孔を介してケーシングの外側に空気が漏れてしまうのを抑制する。【解決手段】この空気調和機は、空気の吹出口へ連通した空気の通過口を有するシャッタケーシング７３と、通過口を閉鎖した閉鎖位置と通過口を開放した開放位置とを取り得るシャッタ７２と、シャッタ７２を駆動するためのシャッタ駆動モータ７１と、そのシャッタ駆動モータ７１のモータ軸７１ａに取り付けられると共にシャッタ７２の取付部７２ａを保持する回転部材７４とを備えている。そして、シャッタケーシング７３には、回転部材７４の先端部７４ｄを通過させる貫通孔７３ｄが形成されており、回転部材７４及びシャッタケーシング７３の貫通孔７３ｄの周辺部にはラビリンスシール構造８０が設けられている。【選択図】図１０
2010078273.tif 000002
【特許請求の範囲】
【請求項１】
空気の吹出口へ連通した空気の通過口を有するケーシングと、
前記通過口を閉鎖した閉鎖位置と前記通過口を開放した開放位置とを取り得るシャッタと、
前記シャッタを駆動するための駆動軸と、
前記駆動軸に取り付けられると共に前記シャッタの端部を保持する回転部材とを備え、
前記ケーシングには、前記回転部材を通過させる貫通孔が形成されており、
前記回転部材及び前記ケーシングの貫通孔の周辺部にはラビリンスシール構造が設けられていることを特徴とする、空気調和機。
【請求項２】
前記シャッタの前記端部には、前記ケーシングに沿ったフランジが形成されていることを特徴とする、請求項１に記載の空気調和機。
【発明の詳細な説明】
【技術分野】
【０００１】
本発明は、吹出口へ連通した空気の通過口を閉鎖した閉鎖位置と通過口を開放した開放位置とを取り得るシャッタを備えた空気調和機に関する。
【背景技術】
【０００２】
従来、吹出口へ連通する吹出通路上の通過口を開放又は閉鎖するシャッタが設けられる空気調和機が提案されている（例えば、特許文献１参照）。この特許文献１の空気調和機では、吹出口から空気を吹き出す場合には、シャッタを開放状態に配置し、吹出口から空気を吹き出さない場合には、シャッタを閉鎖状態に配置する。
【特許文献１】特開２００７−１８３０１３号公報
【発明の開示】
【発明が解決しようとする課題】
【０００３】
上記特許文献１の空気調和機では、図１３に示すように、ケーシング１０１の外側に配置されるシャッタ駆動モータ１０２の駆動力をシャッタ１０３に伝達するために、ケーシング１０１の壁面１０１ａに当該モータ１０２の駆動軸１０２ａを通過させる貫通孔１０１ｂが形成されている。このため、図１３の二点鎖線で示すように、吹出通路を通過する空気が当該貫通孔１０１ｂを介して、ケーシング１０１の外側に漏れてしまい、精密機械を含むモータ１０２などが結露してしまうという問題がある。
【０００４】
そこで、この発明は、上記のような課題を解決するためになされたものであり、ケーシングの外側に空気が漏れてしまうのを抑制することが可能な空気調和機を提供することを目的とする。
【課題を解決するための手段】
【０００５】
第１の発明にかかる空気調和機は、空気の吹出口へ連通した空気の通過口を有するケーシングと、通過口を閉鎖した閉鎖位置と通過口を開放した開放位置とを取り得るシャッタと、シャッタを駆動するための駆動軸と、駆動軸に取り付けられると共にシャッタの端部を保持する回転部材とを備えている。そして、ケーシングには、回転部材を通過させる貫通孔が形成されており、回転部材及びケーシングの貫通孔の周辺部にはラビリンスシール構造が設けられている。
【０００６】
この空気調和機では、回転部材及びケーシングの貫通孔の周辺部にラビリンスシール構造を設けることにより、シャッタが配置されるケーシングの内側から当該貫通孔を介してケーシングの外側に空気が漏れてしまうのを抑制することができる。
また、回転部材及びケーシングの貫通孔の周辺部にラビリンスシール構造を用いることにより、回転部材とケーシングとの間に微小な隙間が形成されて、回転部材とケーシングとが非接触状態で配置されることになるので、回転部材とケーシングとの摺動音の発生を防止することができる。
【０００７】
第２の発明にかかる空気調和機は、第１の発明にかかる空気調和機において、シャッタの端部には、ケーシングに沿ったフランジが形成されている。
【０００８】
この空気調和機では、シャッタの端部とケーシングとの間に形成される隙間の長さが、フランジを設ける分だけ長くなる。これにより、シャッタが配置されるケーシングの内側からケーシングの外側へ空気が漏れる流路の一部である当該隙間の流路抵抗が大きくなるので、ケーシングの内側から外側に空気が漏れるのをさらに抑制することができる。
また、端部全体を大きくせずに、端部の一部分にフランジを設けることにより、シャッタを熱可塑性樹脂で成形した場合において、当該端部にヒケが発生するのを抑制することができ、当該端部に寸法誤差が生じるのを抑制することができる。
【発明の効果】
【０００９】
以上の説明に述べたように、本発明によれば、以下の効果が得られる。
【００１０】
第１の発明では、回転部材及びケーシングの貫通孔の周辺部にラビリンスシール構造を設けることにより、シャッタが配置されるケーシングの内側から当該貫通孔を介してケーシングの外側に空気が漏れてしまうのを抑制することができる。
また、回転部材及びケーシングの貫通孔の周辺部にラビリンスシール構造を用いることにより、回転部材とケーシングとの間に微小な隙間が形成されて、回転部材とケーシングとが非接触状態で配置されることになるので、回転部材とケーシングとの摺動音の発生を防止することができる。
【００１１】
また、第２の発明では、シャッタの端部とケーシングとの間に形成される隙間の長さが、フランジを設ける分だけ長くなる。これにより、シャッタが配置されるケーシングの内側からケーシングの外側へ空気が漏れる流路の一部である当該隙間の流路抵抗が大きくなるので、ケーシングの内側から外側に空気が漏れるのをさらに抑制することができる。
また、端部全体を大きくせずに、端部の一部分にフランジを設けることにより、シャッタを熱可塑性樹脂で成形した場合において、当該端部にヒケが発生するのを抑制することができ、当該端部に寸法誤差が生じるのを抑制することができる。
【発明を実施するための最良の形態】
【００１２】
以下、図面に基づいて、本発明に係る床置型室内機を備えた空気調和機の実施形態について説明する。
【００１３】
図１は、本発明の一実施形態に係る空気調和機の冷媒回路図である。図２は、床置型室内機の外観を示した斜視図である。図３は、図２に示した床置型室内機の断面図である。図４は、図２に示した床置型室内機の内部構造を示した正面図である。以下、図１〜図４を参照して、本発明の一実施形態に係る空気調和機について説明する。
【００１４】
＜空気調和機＞
本発明の一実施形態に係る空気調和機１００は、調和された空気を室内に供給するための装置であって、図１に示すように、室内に設置される床置型室内機（以下、室内機と略記する）１と、室外に設置される室外機２と、室内機１と室外機２とを接続する接続配管３とを備えており、室内機１及び室外機２内に収納された機器・弁類と、接続配管３とが接続されて冷媒回路を構成している。冷媒回路は、主として、室内熱交換器１０、室外熱交換器２０、アキュムレータ２１、圧縮機２２、四路切換弁２３および電動膨張弁２４により構成される。
【００１５】
そして、上記構成の空気調和機１００において、暖房運転時には、四路切換弁２３を実線に係る位置に切り換える。これにより、圧縮機２２から吐出された高温高圧冷媒が四路切換弁２３を通って室内熱交換器１０に流入する。そして、室内熱交換器（凝縮器）１０で凝縮した冷媒は、電動膨張弁２４で減圧された後、室外熱交換器２０に流入する。そして、室外熱交換器（蒸発器）２０で蒸発した冷媒が、四路切換弁２３及びアキュムレータ２１を介して、圧縮機２２の吸入側に戻る。このようにして、室内熱交換器１０の周囲の空気が加熱されて、温風が室内に供給される。
【００１６】
また、冷房運転時には、四路切換弁２３を点線に係る位置に切り換える。これにより、圧縮機２２から吐出された高温高圧冷媒が四路切換弁２３を通って室外熱交換器２０に流入する。そして、室外熱交換器（凝縮器）２０で凝縮した冷媒は、電動膨張弁２４で減圧された後、室内熱交換器１０に流入する。そして、室内熱交換器（蒸発器）１０で蒸発した冷媒が、四路切換弁２３及びアキュムレータ２１を介して、圧縮機２２の吸入側に戻る。このようにして、室内熱交換器１０の周囲の空気が冷却されて、冷風が室内に供給される。
【００１７】
＜室外機＞
室外機２は、圧縮機２２と、圧縮機２２の吐出側に接続された四路切換弁２３と、圧縮機２２の吸入側に接続されたアキュムレータ２１と、四路切換弁２３に接続された室外熱交換器２０と、室外熱交換器２０に接続された電動膨張弁２４と、室外熱交換器２０に付設される室外ファン２５とを備えている。電動膨張弁２４は、液冷媒配管３１に接続されており、この液冷媒配管３１を介して室内熱交換器１０の一端と接続されている。また、四路切換弁２３は、ガス冷媒配管３２に接続されており、このガス冷媒配管３２を介して室内熱交換器１０の他端と接続されている。なお、冷媒配管３１及び３２は、上記した接続配管３に相当する。
【００１８】
＜室内機＞
室内機１は、図２及び図３に示すように、床置型の室内機であって、主として、ケーシングユニット５０と、ケーシングユニット５０の内部に収容される室内熱交換器１０、ファンユニット６０及びシャッタユニット７０とを備えている。
【００１９】
＜ケーシングユニット＞
室内機１の外観を構成するケーシングユニット５０は、前面パネル５１と、前面グリル５２と、底フレーム５３と、背面断熱材５４とを備えており、室内機１の前面側から前面パネル５１、前面グリル５２、底フレーム５３、背面断熱材５４の順に配置される。このケーシングユニット５０により形成される内部空間は、図４に示すように、室内熱交換器１０やファンユニット６０等が設置されるファン室５０Ａと、電装品ユニット等が設けられる配管室５０Ｂとに区分される。
【００２０】
前面パネル５１は、図２及び図３に示すように、前面グリル５２に取り付けられるフィルタ５５を覆うように取り付けられている。この前面パネル５１の上部には上側吸込口５１ａが設けられると共に、前面パネル５１の下部には下側吸込口５１ｂが設けられている。さらに、前面パネル５１の左右の側面には、側方吸込口５１ｃが設けられている。この上側吸込口５１ａ及び下側吸込口５１ｂは、幅方向（Ｘ方向）に長尺な開口であると共に、側方吸込口５１ｃは、上下方向（Ｚ方向）に長尺な開口である。これにより、上下左右の四方向から室内空気を吸い込むことが可能となり、当該吸込口５１ａ，５１ｂ，５１ｃから吸い込んだ空気を均等に室内熱交換器１０を通過させることが可能となる。
【００２１】
前面グリル５２は、図２及び図３に示すように、前面パネル５１と室内熱交換器１０との間に設けられている。この前面グリル５２の上部には、上側吹出口５２ａが設けられると共に、前面グリル５２の下部には、下側吹出口５２ｂが設けられている。この上側吹出口５２ａ及び下側吹出口５２ｂは、共に幅方向（Ｘ方向）に長尺な開口である。また、前面グリル５２の中央部分には、略長方形状の開口５２ｃが設けられている。この開口５２ｃには、前面パネル５１の各吸込口５１ａ，５１ｂ，５１ｃから吸い込まれた空気に含まれる塵埃を捕集するフィルタ５５が設けられている。
【００２２】
底フレーム５３は、図３に示すように、後述するファンユニット６０と背面断熱材５４との間に設けられている。この底フレーム５３は、室内機１の底部分を形成する底部５３ａと、その底部５３ａから立設する立設部５３ｂとを含んでいる。底部５３ａには、接続配管３を配管室５０Ｂ（図４参照）に導入するための配管導入口５３ｃが設けられている。また、立設部５３ｂの略中央部分には、ファンユニット６０を取り付けるためのファン取付部５３ｄが設けられている。
【００２３】
背面断熱材５４は、底フレーム５３の背面側に設けられ、断熱材として機能する。
【００２４】
このように構成されたケーシングユニット５０内には、図３に示すように、後述するターボファン６２から上側吹出口５２ａへと向かう上側通風路５０ａが形成されている。この上側通風路５０ａは、底フレーム５３の内壁面に沿って形成されており、ターボファン６２から上側吹出口５２ａに向かって前方且つ上方に向かって湾曲しつつ延びている。この上側通風路５０ａ上には、上側吹出口５２ａから吹き出される風の水平方向に関する風向を制御する垂直フラップ４０、及び、垂直方向に関する風向を制御する水平フラップ４１が設けられている。また、ケーシングユニット５０内には、ターボファン６２から下側吹出口５２ｂへと向かう下側通風路５０ｂが形成される。下側通風路５０ｂは、ターボファン６２から下側吹出口５２ｂに向かって前方且つ下方に向かって湾曲しつつ延びている。この下側通風路５０ｂ上には、下側吹出口５２ｂから吹き出される風の水平方向に関する風向を制御する垂直フラップ４２が設けられている。また、垂直フラップ４２の風上側には、後述するシャッタ７２が設けられている。
【００２５】
＜室内熱交換器＞
室内熱交換器１０は、吸込口５１ａ及び５１ｂから吸い込まれた室内空気との間で熱交換を行うために設けられている。この室内熱交換器１０は、図３に示すように、ファンユニット６０と前面グリル５２との間に配置されており、ファンユニット６０の風上側で熱交換を行っている。
【００２６】
＜ベルマウス＞
また、室内熱交換器１０とファンユニット６０との間には、ベルマウス１１が設けられている。このベルマウス１１は、室内熱交換器１０を通過した空気を後述するターボファン６２に導くガイドとして機能する。
【００２７】
＜ファンユニット＞
ファンユニット６０は、図３に示すように、室内熱交換器１０の風下側に設けられており、駆動源となるファンモータ６１と、遠心方向に向かう空気流を発生させる遠心ファンの一種であるターボファン６２とを備えている。このファンユニット６０によって発生される空気流は、上記した上側通風路５０ａを介して上側吹出口５２ａから吹き出されると共に、下側通風路５０ｂを介して下側吹出口５２ｂから吹き出される。
【００２８】
ファンモータ６１は、底フレーム５３の立設部５３ｂに設けられるファン取付部５３ｄに取り付けられる。このファンモータ６１のモータ軸６１ａは、前後方向（Ｙ方向）に延在し、その前後方向を回転軸方向として回転する。
【００２９】
ターボファン６２は、ファンモータ６１のモータ軸６１ａに取り付けられ、モータ軸６１ａの回転に従動して回転する。このターボファン６２は、対向配置された主板６３及び副板６４と、主板６３及び副板６４の間に設けられた複数の羽根６５とを含んでいる。
【００３０】
ファンモータ６１が作動すると、ターボファン６２が回転することにより、室内熱交換器１０を通過した空気がターボファン６２の内部に吸引されて、遠心方向に向かう空気流が発生する。そして、ターボファン６２の上部から吹き出された空気流は、上側通風路５０ａに沿って進行して、上側吹出口５２ａからケーシングユニット５０の外部に吹き出される。また、ターボファン６２の下部から吹き出された空気流は、下側通風路５０ｂに沿って進行して、下側吹出口５２ｂからケーシングユニット５０の外部に吹き出される。
【００３１】
＜シャッタユニット＞
図５及び図６は、シャッタユニットを背面から見た斜視図であり、図７は、シャッタが開放位置にあるときのシャッタユニットの断面図であり、図８は、シャッタが閉鎖位置にあるときのシャッタユニットの断面図である。図９及び図１０は、シャッタユニットの断面図である。また、図１１は、回転部材の斜視図であり、図１２は、シャッタの斜視図である。次に、図５〜図１１等を参照して、シャッタユニット７０を詳細に説明する。
【００３２】
シャッタユニット７０は、図３に示すように、下側吹出口５２ｂの近傍に配置され、ターボファン６２から下側吹出口５２ｂに至る下側通風路５０ｂ上の通過口５０ｃ（図５及び図６）を開放又は閉鎖することにより、ターボファン６２から下側吹出口５２ｂに向かう空気流を外部に吹き出すか否かを制御する。このシャッタユニット７０は、駆動源となるシャッタ駆動モータ７１と、シャッタ７２と、シャッタ７２を回転可能に支持するシャッタケーシング７３と、シャッタ駆動モータ７１に取り付けられる回転部材７４とを含んでいる。
【００３３】
シャッタケーシング７３は、図４〜図６に示すように、シャッタ駆動モータ７１及びシャッタ７２が取り付けられるシャッタ支持部７３ａと、シャッタ支持部７３ａの上方に設けられるドレンパン７３ｂとを備えている。シャッタ支持部７３ａは、上記した下側通風路５０ｂの一部を構成する筒形状であって、長尺方向に関する一端には、シャッタ駆動モータ７１を取り付ける側壁７３ｃが設けられる。この側壁７３ｃには、後述する回転部材７４の先端部７４ｄを通過させるための貫通孔７３ｄ（図６参照）が形成されている。また、シャッタ支持部７３ａの長尺方向に関する他端には、後述するシャッタ７２の軸部７２ｂを回転可能に支持する軸受部７３ｅが設けられている。
【００３４】
ここで、本実施形態では、図９及び図１０に示すように、側壁７３ｃのシャッタ駆動モータ７１が配置される側の外壁面には、モータ軸７１ａの回転軸方向（Ｘ方向）に突出する小径円筒部７３ｆ及び大径円筒部７３ｇが形成されている。この小径円筒部７３ｆ及び大径円筒部７３ｇは、いずれも上記した貫通孔７３ｄを中心として、モータ軸７１ａの回転方向に沿って形成されている。また、外側に設けられる大径円筒部７３ｇは、内側に設けられる小径円筒部７３ｆより、Ｘ方向に高くなっている。そして、小径円筒部７３ｆと大径円筒部７３ｇとの間には、モータ軸７１ａの回転方向に沿って溝部７３ｈが形成される。
【００３５】
また、ドレンパン７３ｂは、図４に示すように、室内熱交換器１０の下端に沿って設けられ、当該室内熱交換器１０から滴下したドレン水を受けている。このドレンパン７３ｂは、配管室５０Ｂ側に向かって下降するように構成されており、その配管室５０Ｂ側の底面には、ドレンパン内に溜まったドレン水を外部に排出するための排水管７３ｉが設けられている。
【００３６】
シャッタ駆動モータ７１は、ステッピングモータであって、下側通風路５０ｂにおける空気流の障害物とならないように、シャッタケーシング７３の外側に配置されている。このシャッタ駆動モータ７１は、図９及び図１０に示すように、樹脂製のカバー部材７５で覆われており、モータ７１の表面に結露するのを抑制している。シャッタ駆動モータ７１のモータ軸７１ａには、モータ軸７１ａの回転に従動する回転部材７４が取り付けられており、その回転部材７４の先端部７４ｄ（図１１参照）は、シャッタケーシング７３に形成される貫通孔７３ｄを介して、後述するシャッタ７２の嵌合孔７２ｃに取り付けられる。シャッタ駆動モータ７１は、図５に示すように、シャッタ７２の長手方向（Ｘ方向）に沿う回転軸を中心に、シャッタ７２を矢印Ｇ方向に沿って回転駆動させる。これにより、シャッタ７２は、図７に示す開放位置から図８に示す閉鎖位置へと移動したり、図８に示す閉鎖位置から図７に示す開放位置へと移動したりする。
【００３７】
回転部材７４は、図９〜図１１に示すように、シャッタ駆動モータ７１のモータ軸７１ａとシャッタ７２とを連結する中間部材であって、中央部７４ａと、その中央部７４ａの周囲に設けられる円筒部７４ｂと、外縁部分に設けられるフランジ７４ｃとを有している。中央部７４ａの側壁７３ｃ側には、その側壁７３ｃの貫通孔７３ｄを通過する先端部７４ｄが設けられると共に、モータ軸７１ａ側には、そのモータ軸７１ａが嵌合する嵌合孔７４ｅが設けられる。
【００３８】
先端部７４ｄは、図１１に示すように、シャッタ７２の嵌合孔７２ｃ（図１２参照）に嵌合する。この先端部７４ｄは、モータ軸７１ａの回転軸方向（Ｘ方向）に沿って延在する円柱部７４ｆと角柱部７４ｇとを含み、その円柱部７４ｆの周囲には、半円柱形状の凸部７４ｈが所定の間隔を隔てて複数設けられている。また、嵌合孔７４ｅ（図９参照）は、モータ軸７１ａの回転に対して回転部材７４が空回りしないように形成されている。
【００３９】
円筒部７４ｂは、上記したシャッタケーシング７３に設けられる溝部７３ｈに対応するように形成されている。また、円筒部７４ｂと中央部７４ａとの間には、上記したシャッタケーシング７３に設けられる小径円筒部７３ｆに対応するように溝部７４ｉが形成されている。
【００４０】
フランジ７４ｃは、中央部７４ａ及び円筒部７４ｂが延在する方向（Ｘ方向）に対して直交する方向に延在している。
【００４１】
下側吹出口５２ｂの近傍には、下側通風路５０ｂ上の通過口５０ｃを閉鎖した位置と通過口５０ｃを開放した位置とを取り得るシャッタ７２が設けられている。シャッタ７２は、図５、図６及び図１２に示すように、室内機１の幅方向（Ｘ方向）を長手方向とする長尺に構成されている。シャッタ７２の長尺方向に関する一端には、回転部材７４の先端部７４ｄ（図１１参照）が取り付けられる取付部７２ａが設けられ、他端には軸受部７３ｅに回転可能に支持される軸部７２ｂが設けられている。図１２に示すように、この取付部７２ａには、上記した回転部材７４の先端部７４ｄが嵌合する嵌合孔７２ｃが設けられ、この嵌合孔７２ｃは、先端部７４ｄの回転に対してシャッタ７２が空回りしないように、先端部７４ｄの円柱部７４ｆ及び角柱部７４ｇに対応する形状となっている。
【００４２】
また、本実施形態では、取付部７２ａには、シャッタケーシング７３の側壁７３ｃに沿ったフランジ７２ｄが設けられている。これにより、取付部７２ａの側壁７３ｃに対向する面の面積が、フランジ７２ｄが側壁７３ｃに沿って延在する距離Ｌ（図１０参照）に対応して大きくなる。
【００４３】
＜ラビリンスシール構造＞
本実施形態では、図９及び図１０に示すように、回転部材７４及びシャッタケーシング７３の側壁７３ｃに設けられる貫通孔７３ｄの周辺部には、上記した側壁７３ｃに設けられる小径円筒部７３ｆ、大径円筒部７３ｇ及び溝部７３ｈ、並びに、回転部材７４に設けられる円筒部７４ｂ及び溝部７４ｉにより構成されるラビリンスシール構造８０が設けられている。このラビリンスシール構造８０は、下側通風路５０ｂを通過する空気がシャッタケーシング７３の外側に漏れるのを抑制するために設けられている。このラビリンスシール構造８０は、側壁７３ｃと回転部材７４との間に微小な隙間を設けると共にその隙間を蛇行させることにより、当該隙間を通過する空気の抵抗を大きくして、空気の漏れを小さくする。具体的には、小径円筒部７３ｆと大径円筒部７３ｇとの間に形成される溝部７３ｈに、回転部材７４の円筒部７４ｂを配置すると共に、回転部材７４の溝部７４ｉに、側壁７３ｃの小径円筒部７３ｆを配置することによって、流路幅の小さい蛇行した流路を形成している。
【００４４】
［本実施形態の室内機の特徴］
本実施形態の室内機１には、以下のような特徴がある。
【００４５】
上記したように、本実施形態の室内機１では、回転部材７４及びシャッタケーシング７３の貫通孔７３ｄの周辺部にラビリンスシール構造８０を設けることにより、シャッタ７２が配置されるシャッタケーシング７３の内側から当該貫通孔７３ｄを介してシャッタケーシング７３の外側に空気が漏れてしまうのを抑制することができる。
【００４６】
また、本実施形態の室内機１では、ラビリンスシール構造８０を用いることにより、回転部材７４とシャッタケーシング７３との間に微小な隙間が形成されて、回転部材７４とシャッタケーシング７３とが非接触状態で配置されることになるので、回転部材７４とシャッタケーシング７３との間の摺動音の発生を防止することができる。
【００４７】
また、本実施形態の室内機１では、取付部７２ａに側壁７３ｃに沿ったフランジ７２ｄを設けることにより、シャッタ７２の取付部７２ａと側壁７３ｃとの間に形成される隙間の長さが、フランジ７２ｄが側壁７３ｃに沿って延在する距離Ｌ（図１０参照）だけ長くなる。これにより、シャッタケーシング７３の内側から外側へ空気が漏れる流路の一部である当該隙間の流路抵抗が大きくなるので、シャッタケーシング７３の内側から外側に空気が漏れるのをさらに抑制することができる。
【００４８】
また、本実施形態の室内機１では、取付部７２ａ全体を大きくせずに、取付部７２ａの一部分にフランジ７２ｄを設けることにより、熱可塑性樹脂で成形した取付部７２ａにヒケが発生するのを抑制することができ、当該取付部７２ａに寸法誤差が生じるのを抑制することができる。
【００４９】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００５０】
例えば、上記実施形態では、室外機と室内機とを備えたセパレートタイプの空気調和機について説明したが、一体型の空気調和機にも適用可能である。
【００５１】
また、本実施形態では、シャッタケーシング７３の小径円筒部７３ｆと大径円筒部７３ｇとの間に形成される溝部７３ｈに、回転部材７４の円筒部７４ｂを配置すると共に、回転部材７４の溝部７４ｉに、側壁７３ｃの小径円筒部７３ｆを配置するラビリンスシール構造８０ついて説明したが、本発明は、上記構成のラビリンスシール構造に限定されない。
【産業上の利用可能性】
【００５２】
本発明を利用すれば、ケーシングの外側に空気が漏れてしまうのを抑制することが可能な空気調和機を得ることができる。
【図面の簡単な説明】
【００５３】
【図１】本発明の一実施形態に係る空気調和機の冷媒回路図である。
【図２】床置型室内機の外観を示した斜視図である。
【図３】図２に示した床置型室内機の断面図である。
【図４】図２に示した床置型室内機の内部構造を示した正面図である。
【図５】シャッタユニットを背面から見た斜視図である。
【図６】シャッタユニットを背面から見た分解斜視図である。
【図７】シャッタが開放位置にあるときのシャッタユニットの断面図である。
【図８】シャッタが閉鎖位置にあるときのシャッタユニットの断面図である。
【図９】シャッタユニットの分解断面図である。
【図１０】シャッタユニットの断面図である。
【図１１】回転部材の斜視図である。
【図１２】シャッタの斜視図である。
【図１３】従来の一例に係る空気調和機のシャッタの周辺構造を示した断面図である。
【符号の説明】
【００５４】
１  室内機
５２ａ  上側吹出口（吹出口）
５２ｂ  下側吹出口（吹出口）
５０ｃ  通過口
７１ａ  モータ軸（駆動軸）
７２  シャッタ
７２ａ  取付部（端部）
７２ｄ  フランジ
７３  シャッタケーシング（ケーシング）
７３ｄ  貫通孔
７４  回転部材
８０  ラビリンスシール構造
１００  空気調和機
【図１】
2010078273.tif 000003
【図２】
2010078273.tif 000004
【図３】
2010078273.tif 000005
【図４】
2010078273.tif 000006
【図５】
2010078273.tif 000007
【図６】
2010078273.tif 000008
【図７】
2010078273.tif 000009
【図８】
2010078273.tif 000010
【図９】
2010078273.tif 000011
【図１０】
2010078273.tif 000012
【図１１】
2010078273.tif 000013
【図１２】
2010078273.tif 000014
【図１３】
2010078273.tif 000015